(57)【要約】【課題】伝票の確認に関する情報を提示することができる。【解決手段】情報処理装置４０は、制御部４１と記憶部４２とを備える。制御部４１は、複数の項目を含む伝票の画像データと画像データに文字認識を行い取得した文字データとのデータ確認を、伝票に含まれる項目ごとに異なる担当者に割り当て、データ確認を行うためのデータ確認画面を第１の端末２０に提示し、データ確認の確認結果を第１の端末２０から受け付け、確認結果を記憶部４２に記憶し、伝票ごとに伝票に関する情報に基づいて重要度を算出し、伝票の管理画面の表示要求を第２の端末３０から受け付け、伝票の識別情報と伝票に関する情報とを重要度に基づいて第２の端末３０に提示する。【選択図】図１
2020119163.tif 000002
【特許請求の範囲】
【請求項１】
情報処理装置であって、
複数の項目を含む伝票の画像データと前記画像データに文字認識を行い取得した文字データとのデータ確認を、前記伝票に含まれる前記項目ごとに異なる担当者に割り当て、前記データ確認を行うためのデータ確認画面を第１の端末に提示し、
前記データ確認の確認結果を前記第１の端末から受け付け、
前記確認結果を記憶部に記憶し、
前記伝票ごとに前記伝票に関する情報に基づいて重要度を算出し、
前記伝票の管理画面の表示要求を第２の端末から受け付け、
前記伝票の識別情報と前記伝票に関する情報とを前記重要度に基づいて前記第２の端末に提示する制御部を備える、
情報処理装置。
【請求項２】
前記制御部は、
前記伝票に含まれる前記項目ごとに予め定められた条件を満たすか否かを判定し、
前記条件を満たす場合、前記伝票ごとに前記条件に応じた値を加算することで、前記重要度を算出する、
請求項１記載の情報処理装置。
【請求項３】
前記制御部は、
前記データ確認に関する情報を前記重要度に基づいて提示する際に、
前記条件を満たす前記項目を強調表示して、前記データ確認に関する情報を提示する、
請求項２記載の情報処理装置。
【請求項４】
前記強調表示とは、
前記条件を満たす前記項目を、前記条件を満たさない前記項目と異なる態様で表示することである、
請求項３記載の情報処理装置。
【請求項５】
前記制御部は、
前記重要度の値が高い順に前記伝票および前記データ確認に関する情報を提示する、
請求項２記載の情報処理装置。
【請求項６】
前記伝票に関する情報とは、
前記伝票の前記データ確認を行う期限日、現在日付から前記期限日までの日数、前記伝票で取り扱う金額、前記伝票に含まれる前記項目の前記確認結果、のうち少なくともいずれか１つを含む情報である、
請求項５記載の情報処理装置。
【請求項７】
前記制御部は、
前記重要度を算出した前記伝票が複数存在する場合、前記伝票のうち前記重要度が高い順に前記担当者に前記割り当てを行う、
請求項１記載の情報処理装置。
【請求項８】
情報処理装置における情報提示方法であって、
前記情報処理装置は、
伝票のデータ確認を前記伝票に含まれる項目ごとに異なる担当者に割り当て、前記データ確認を行うためのデータ確認画面を第１の端末に提示し、
前記データ確認の確認結果を前記第１の端末から受け付け、
前記確認結果を記憶部に記憶し、
前記伝票ごとに前記伝票に関する情報に基づいて重要度を算出し、
前記伝票の管理画面の表示要求を第２の端末から受け付け、
前記伝票の識別情報と前記伝票に関する情報とを前記重要度に基づいて前記第２の端末に提示する、
情報提示方法。
【発明の詳細な説明】
【技術分野】
【０００１】
本発明は、情報処理装置および情報提示方法に関する。
【背景技術】
【０００２】
金融機関等で処理される伝票は、各支店の窓口で受け付けが行われ、紙の伝票がスキャナ等で画像データとして取得され、伝票（帳票、申請書類等）の画像データがデータセンターに送信され、データセンターにおいて画像データと文字認識結果との照合等が行われる。伝票には、顧客の個人情報が記入されており、一人の担当者（オペレータ）が伝票に記入された全ての項目の画像データと文字認識をした結果の文字データとを照合してデータ確認を行うことで、担当者による顧客の個人情報の漏洩や悪用等のおそれが高まる。
【０００３】
たとえば、オペレータが、帳票のデータ入力を行う場合に、個人情報を漏洩する可能性を減らすため、帳票の項目データをマスクしたイメージデータを表示させ、一部の項目データのみを表示させる技術が知られている。
【先行技術文献】
【特許文献】
【０００４】
【特許文献１】特開２００９−２１１２０５号
【発明の概要】
【発明が解決しようとする課題】
【０００５】
従来技術は、伝票の項目データをマスクすることでオペレータによる情報漏洩を減らす技術であるものの、伝票のデータ入力の処理状況の管理については考慮されていなかった。たとえば、複数の項目を含む伝票について、一部の項目の確認作業に担当者を割り当てることにより、伝票に記載された全ての情報を担当者が取得することを回避することが可能であるが、管理者が担当者の作業の進捗を把握する方法については考慮されていなかった。
【０００６】
このような状況に対処するために、伝票に含まれる項目を担当者に分担して確認作業を行う場合における、伝票の確認に関する情報を提示することができる技術が望まれている。
【０００７】
一側面では、本発明は、伝票の確認作業において伝票の確認に関する情報を提示することができる情報処理装置および情報提示方法を提供することを目的とする。
【課題を解決するための手段】
【０００８】
上記目的を達成するために、以下に示すような情報処理装置を提供する。情報処理装置は、制御部と記憶部とを備える。制御部は、複数の項目を含む伝票の画像データと画像データに文字認識を行い取得した文字データとのデータ確認を、伝票に含まれる項目ごとに異なる担当者に割り当て、データ確認を行うためのデータ確認画面を第１の端末に提示し、データ確認の確認結果を第１の端末から受け付け、確認結果を記憶部に記憶し、伝票ごとに伝票に関する情報に基づいて重要度を算出し、伝票の管理画面の表示要求を第２の端末から受け付け、伝票の識別情報と伝票に関する情報とを重要度に基づいて第２の端末に提示する。
【発明の効果】
【０００９】
一態様によれば、伝票の確認に関する情報を提示することができる。
【図面の簡単な説明】
【００１０】
【図１】第１の実施形態の情報処理システムの一例を示す図である。
【図２】第２の実施形態の情報処理システムの一例を示す図である。
【図３】第２の実施形態のサーバのハードウェア構成の一例を示す図である。
【図４】第２の実施形態の状態管理情報の一例を示す図である。
【図５】第２の実施形態の確認伝票一覧画面の一例を示す図である。
【図６】第２の実施形態の確認伝票詳細画面の一例を示す図である。
【図７】第２の実施形態の伝票登録処理のシーケンスの一例を示す図である。
【図８】第２の実施形態の伝票確認処理のシーケンスの一例を示す図である。
【図９】第２の実施形態の確認画面表示処理のシーケンスの一例を示す図である。
【図１０】第２の実施形態の日付更新処理のフローチャートの一例を示す図である。
【図１１】第２の実施形態の重要度得点更新処理のフローチャートの一例を示す図である。
【発明を実施するための形態】
【００１１】
以下、図面を参照して実施の形態を詳細に説明する。
［第１の実施形態］
まず、第１の実施形態の情報処理システムについて図１を用いて説明する。図１は、第１の実施形態の情報処理システムの一例を示す図である。
【００１２】
情報処理システム１０は、金融機関や企業等で用いられる伝票のデータ処理を行うデータセンターにおいて用いられるシステムである。情報処理システム１０は、第１の端末２０、第２の端末３０、情報処理装置４０を含む。第１の端末２０、第２の端末３０、情報処理装置４０は、情報通信が可能でありネットワークを介してアクセス可能に接続されている。ネットワークは、有線ネットワークであってもよいし無線ネットワークであってもよい。なお、情報処理システム１０に含まれる各構成要素（第１の端末２０、第２の端末３０、情報処理装置４０）は、１台に限らず複数台であってもよい。
【００１３】
第１の端末２０は、伝票の画像データの読み取りやデータ確認を行う担当者が用いる端末であり、情報処理を行うコンピュータである。第１の端末２０は、プロセッサ等の制御部とメモリ等の記憶部とを備えるが、図示を省略する。
【００１４】
第１の端末２０は、スキャナ等の読み取り装置が接続されており、伝票をスキャンして画像データを取得する機能を備える。第１の端末２０は、画像データを文字認識して文字データを取得する機能を備える。第１の端末２０は、画像データと文字データとを情報処理装置４０に送信する機能を備える。第１の端末２０は、ブラウザの機能を備え、情報処理装置４０が提示する情報を表示し、担当者から入力された情報を受け付け情報処理装置４０に送信する機能を備える。
【００１５】
第１の端末２０は、情報処理装置４０から伝票情報として画像データと文字データとを受け付け、画像データと文字データとのデータ確認を行うためのチェック画面（データ確認画面）を表示する機能を備える。伝票には、手書きの情報が含まれており、正しく文字認識が行われたか否かを担当者が目視で確認を行う。また、伝票には、複数の項目が含まれている。伝票に含まれる各項目のデータ確認の作業は、情報漏洩を低減するため、情報処理装置４０によって項目ごとに異なる担当者に割り当てられる。担当者は、チェック画面を目視し、画像データと文字データとが一致するか不一致であるかを確認し、確認結果を入力する。第１の端末２０は、担当者から受け付けた確認結果を情報処理装置４０に送信する。
【００１６】
第２の端末３０は、担当者を管理する管理者が用いる端末であり、情報処理を行うコンピュータである。第２の端末３０は、プロセッサ等の制御部とメモリ等の記憶部とを備えるが、図示を省略する。第２の端末３０は、ブラウザの機能を備え、情報処理装置４０が提示する情報を表示し、管理者から入力された情報を受け付け情報処理装置４０に送信する機能を備える。
【００１７】
情報処理装置４０は、第１の端末２０から送信された情報を管理および蓄積する機能を備えたコンピュータである。また、情報処理装置４０は、ウェブサーバとしての機能も備えており、第１の端末２０および第２の端末３０から送信された表示要求に応じた情報を提示する機能を備えたコンピュータである。
【００１８】
情報処理装置４０は、制御部４１、記憶部４２を備える。制御部４１は、情報処理装置４０全体を制御するものであり、たとえば、プロセッサ等である。また、制御部４１は、記憶部４２に対して情報の記憶および読み出しが可能である。記憶部４２は、情報処理装置４０に備えられるＨＤＤや各種メモリ等である。記憶部４２は、伝票の画像データ、文字データ、データ確認の確認結果、伝票ごとの重要度を記憶する。重要度は、伝票のデータ確認の作業を行う重要度（優先度）を示す値であり、情報処理装置４０が算出する値である。
【００１９】
ここで、情報処理システム１０における伝票のデータ確認およびデータ確認の作業状態に関する情報提示方法について説明する。
情報処理装置４０の制御部４１は、第１の端末２０から送信された伝票の画像データおよび文字データを記憶部４２に蓄積しているものとする。制御部４１は、伝票の画像データおよび文字データのデータ確認の作業を伝票に含まれる項目ごとに異なる担当者に割り当てを行い、画像データおよび文字データの確認を行うための確認画面を第１の端末２０に提示する。
【００２０】
第１の端末２０は、情報処理装置４０に提示された確認画面を表示し、担当者からデータ確認の確認結果を受け付け、確認結果を情報処理装置４０に送信する。
制御部４１は、確認結果を記憶部４２に記憶する。また、制御部４１は、伝票ごとに伝票に関する情報に基づいて重要度を算出し、記憶部４２に記憶する。伝票に関する情報とは、伝票のデータ確認を行う期限日、現在日付から期限日までの日数、伝票で取り扱う金額、伝票に含まれる項目の確認結果のうち、少なくともいずれか１つを含む情報である。
【００２１】
制御部４１は、伝票に含まれる項目ごとに予め定められた条件を満たすか否かを判定し、条件を満たす場合、伝票ごとに条件に応じた値を加算することで重要度を算出する。たとえば、制御部４１は、伝票に含まれる金額の項目について、金額が１００万円以上である場合、重要度の値に「５０」を加算することで、重要度を算出する。なお、重要度の初期値は「０（ゼロ）」であるものとする。
【００２２】
第２の端末３０は、管理者からデータ確認の作業状態に関する情報を閲覧する要求を受け付ける。第２の端末３０は、管理者から情報を閲覧する要求を受け付けたことに伴い、管理画面の表示要求を情報処理装置４０に送信する。
【００２３】
制御部４１は、管理画面の表示要求を第２の端末３０から受け付け、伝票を識別する識別情報（伝票番号）と伝票に関する情報とを重要度に基づいて第２の端末３０に提示する。
【００２４】
第２の端末３０は、制御部４１に提示された情報を管理画面として表示する。管理画面には、たとえば、重要度が高い順に伝票番号および伝票に関する情報が表示される。また、管理画面は、重要度を算出する際の条件を満たす項目を強調表示する。強調表示とは、条件を満たす項目を、条件を満たさない項目と異なる態様で表示することである。
【００２５】
このように、情報処理装置４０は、伝票の識別情報と伝票に関する情報とを重要度に基づいて第２の端末３０に提示する。
管理者は、管理する伝票の数が多く、かつ、伝票の項目ごとにデータ確認を行う担当者が異なるため、作業の進捗管理が困難であったが、情報処理装置４０に提示された情報を第２の端末３０を用いて参照することで、進捗管理に費やす時間と労力を軽減できる。また、管理者は、第２の端末３０を用いて伝票の重要度に基づいた情報を参照することで、多数の伝票のうち優先すべき伝票に注意を払い、伝票の確認を行うことができる。
【００２６】
こうして、情報処理システム１０および情報処理装置４０は、伝票の確認に関する情報を提示することができる。
［第２の実施形態］
次に、第２の実施形態として、情報処理装置４０をサーバに適用した情報処理システムについて図２を用いて説明する。図２は、第２の実施形態の情報処理システムの一例を示す図である。
【００２７】
情報処理システム２００は、サーバ３００と、端末４００，４１０，４２０，…とを備える。以下、端末４００，４１０，４２０，…について説明する場合、単に端末４００と記載する。サーバ３００は、金融機関の各支店から送信された伝票情報を管理するデータセンター等で稼動するコンピュータである。また、端末４００は、データセンターで伝票をスキャナで読み取り、画像データを取得する担当者や、伝票の項目をチェックする作業を行う担当者が用いるコンピュータである。また、端末４００は、担当者や伝票のチェック作業等を管理する管理者が用いるコンピュータでもある。
【００２８】
サーバ３００は、端末４００と情報の送受信を行い、端末４００から送信された伝票情報の管理や、伝票情報の確認処理や、情報処理システム２００を利用する担当者や管理者等の利用者を管理する機能を備えるプログラムが実行されるコンピュータである。サーバ３００は、ウェブサーバとしての機能も備え、各種情報を端末４００に提供できる。また、サーバ３００は、他のコンピュータから受信した情報を、データベース３２０に記憶する。データベース３２０は、各種情報を記憶する記憶装置である。データベース３２０には、たとえば、各支店から送信されてきた伝票情報や伝票を確認する作業を管理する情報が蓄積される。
【００２９】
端末４００は、端末４００に接続したスキャナ等の読み取り装置を介して読み取った伝票の画像データをサーバ３００に送信する機能を備える。また、端末４００は、伝票の画像データを文字認識し、文字データを取得してサーバ３００に送信する機能も備える。また、端末４００は、ブラウザとしての機能も備える。担当者や管理者は、端末４００が備えるブラウザの機能を用いてサーバ３００が提供する情報を閲覧できる。なお、端末４００に接続されたスキャナの図示は省略する。
【００３０】
なお、サーバ３００および端末４００の処理の詳細については、後で図７〜図１１を用いて説明する。
次に、第２の実施形態のサーバのハードウェア構成について図３を用いて説明する。図３は、第２の実施形態のサーバのハードウェア構成の一例を示す図である。
【００３１】
サーバ３００は、制御部３１０を含む。制御部３１０は、プロセッサ３１１、ＲＡＭ（Random Access Memory）３１２、ＨＤＤ３１３、画像信号処理部３１４、入力信号処理部３１５、媒体リーダ３１６、通信インタフェース３１７を含む。サーバ３００は、プロセッサ３１１によって装置全体が制御されている。プロセッサ３１１には、バス３１８を介してＲＡＭ３１２と複数の周辺機器が接続されている。プロセッサ３１１は、マルチプロセッサであってもよい。プロセッサ３１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ３１１は、ＣＰＵ、ＭＰＵ、ＤＳＰ、ＡＳＩＣ、ＰＬＤのうちの２以上の要素の組み合わせであってもよい。
【００３２】
ＲＡＭ３１２は、サーバ３００の主記憶装置として使用される。ＲＡＭ３１２には、プロセッサ３１１に実行させるＯＳ（Operating System）のプログラムやアプリケーションプログラムの少なくとも一部が一時的に記憶される。また、ＲＡＭ３１２には、プロセッサ３１１による処理に必要な各種データが記憶される。
【００３３】
バス３１８に接続されている周辺機器としては、ＨＤＤ３１３、画像信号処理部３１４、入力信号処理部３１５、媒体リーダ３１６および通信インタフェース３１７がある。
ＨＤＤ３１３は、内蔵したディスクに対して、磁気的にデータの書き込みおよび読み出しを行う。ＨＤＤ３１３は、サーバ３００の補助記憶装置として使用される。ＨＤＤ３１３には、ＯＳのプログラム、アプリケーションプログラム、および各種データが記憶される。なお、ＨＤＤ３１３に限らず、ＳＳＤ（Solid State Drive）を使用することもできる。なお、補助記憶装置としては、フラッシュメモリ等の半導体記憶装置を使用することもできる。
【００３４】
画像信号処理部３１４は、プロセッサ３１１からの命令に従って、サーバ３００に接続されたディスプレイ３１４ａに画像を出力する。ディスプレイ３１４ａとしては、ＣＲＴ（Cathode Ray Tube）ディスプレイ、液晶ディスプレイ（ＬＣＤ：Liquid Crystal Display）、プラズマディスプレイ、有機ＥＬ（ＯＥＬ：Organic Electro-Luminescence）ディスプレイ等、任意の種類のディスプレイを用いることができる。
【００３５】
入力信号処理部３１５は、サーバ３００に接続された入力デバイス３１５ａから入力信号を取得し、プロセッサ３１１に出力する。入力デバイス３１５ａとしては、マウス、タッチパネル、タッチパッド、トラックボール、キーボード、リモートコントローラ、ボタンスイッチ等、任意の種類の入力デバイスを用いることができる。また、サーバ３００に、複数の種類の入力デバイスが接続されていてもよい。
【００３６】
媒体リーダ３１６は、記録媒体３１９に記録されたプログラムやデータを読み取る読み取り装置である。記録媒体３１９として、たとえば、磁気ディスク、光ディスク、光磁気ディスク（ＭＯ：Magneto-Optical disk）、半導体メモリ等を使用できる。磁気ディスクには、フレキシブルディスク（ＦＤ：Flexible Disk）やＨＤＤが含まれる。光ディスクには、ＣＤ（Compact Disc）やＤＶＤ（Digital Versatile Disc）が含まれる。
【００３７】
媒体リーダ３１６は、たとえば、記録媒体３１９から読み取ったプログラムやデータを、ＲＡＭ３１２やＨＤＤ３１３等の他の記録媒体にコピーする。読み取られたプログラムは、たとえば、プロセッサ３１１によって実行される。なお、記録媒体３１９は可搬型記録媒体であってもよく、プログラムやデータの配布に用いられることがある。また、記録媒体３１９やＨＤＤ３１３を、コンピュータ読み取り可能な記録媒体と言うことがある。
【００３８】
通信インタフェース３１７は、データベース３２０とネットワーク２１０に接続されている。通信インタフェース３１７は、他のコンピュータ、記憶装置、または通信機器との間でデータの送受信を行う。データベース３２０は、各種の情報を記憶するとともに検索や抽出等により情報を利用できるようにしたものであり、ストレージシステム等を用いてもよい。
【００３９】
以上のようなハードウェア構成によって、第２の実施形態のサーバ３００の処理機能を実現することができる。なお、端末４００，４１０，４２０，…、第１の実施形態の第１の端末２０、第２の端末３０および情報処理装置４０も、図３に示したサーバ３００のハードウェア構成で実現できる。
【００４０】
なお、上記の構成は一例であり、構成部の組み合わせは適宜決定できる。たとえば、上記構成のうち必要のないものを削除するとしてもよい。
サーバ３００は、たとえばコンピュータ読み取り可能な記録媒体に記録されたプログラムを実行することにより、第２の実施形態の処理機能を実現する。サーバ３００に実行させる処理内容を記述したプログラムは、様々な記録媒体に記録しておくことができる。たとえば、サーバ３００に実行させるプログラムをＨＤＤ３１３に記憶しておくことができる。プロセッサ３１１は、ＨＤＤ３１３内のプログラムの少なくとも一部をＲＡＭ３１２にロードし、プログラムを実行する。また、サーバ３００に実行させるプログラムを、光ディスク、メモリ装置、メモリカード等の可搬型記録媒体に記録しておくこともできる。可搬型記録媒体に記憶されたプログラムは、たとえばプロセッサ３１１からの制御により、ＨＤＤ３１３にインストールされた後、実行可能となる。またプロセッサ３１１が、可搬型記録媒体から直接プログラムを読み出して実行することもできる。
【００４１】
次に、第２の実施形態の状態管理情報について図４を用いて説明する。図４は、第２の実施形態の状態管理情報の一例を示す図である。
状態管理情報５００は、伝票に含まれる各項目を確認する担当者の作業の進捗状態や、作業全体の進捗状態等を管理する情報である。担当者は、伝票に含まれる項目のうち割り当てられた項目のチェック結果の情報（伝票番号、項目名、確認日、確認結果、担当者ＩＤ）を端末４００からサーバ３００に送信する。また、作業を管理する管理者は、伝票の確認作業の状況をチェックし、チェック結果の情報（伝票番号、承認日、承認者ＩＤ）を端末４００からサーバ３００に送信する。サーバ３００は、端末４００から受信した情報を状態管理情報５００に登録する。
【００４２】
状態管理情報５００は、サーバ３００が管理する情報である。状態管理情報５００は、データベース３２０、ＨＤＤ３１３、ＲＡＭ３１２等のサーバ３００がアクセス可能な記憶部に記憶される情報である。
【００４３】
状態管理情報５００は、伝票番号、受付日、締切残日数、金額、金額項目チェック、口座番号項目チェック、氏名項目チェック、住所項目チェック、重要度得点、承認日、承認者ＩＤの項目を含む。ここで、チェック対象となる伝票には、金額、口座番号、氏名、住所の各項目が含まれるものとする。
【００４４】
伝票番号の項目には、伝票を識別する情報（伝票番号）が登録される。受付日の項目には、金融機関が伝票を受け付けた年月日が登録される。締切残日数の項目には、伝票の確認作業を行う締切日までの残日数が登録される。なお、図４においては、受付日から締切日までの日数は、全ての伝票について同一日数であるものとし、現在の年月日と受付日と締切日から締切残日数が算出できるものとする。金額の項目には、伝票番号で特定される伝票において取引対象となる金額が登録される。
【００４５】
金額項目チェックの項目には、確認日、確認結果、担当者ＩＤの項目を含む。確認日の項目には、金額の項目を確認した日時の情報が登録される。確認した日時の情報とは、係員が、金額の項目について、伝票の画像データと文字認識した文字データとを確認し、確認した旨を端末４００からサーバ３００に送信した日時である。なお、確認日は、年月日のみではなく、時分の情報も登録可能である。確認結果の項目には、金額の項目を確認した結果が登録される。伝票の画像データと文字データとを確認した結果が一致した場合には「ＯＫ」が登録され、不一致である場合には「ＮＧ」が登録される。なお、画像データと文字データとを確認した結果である一致（「ＯＫ」）または不一致（「ＮＧ」）の情報は、チェック担当者の判断結果が端末４００を介してサーバ３００に送信され、サーバ３００が状態管理情報５００に登録したものである。担当者ＩＤの項目には、金額の項目を確認した担当者を識別する情報（担当者ＩＤ）が登録される。なお、金額項目チェックに含まれる各項目において、項目が未確認の場合（項目の画像データと文字データとのチェック作業を未だ担当者が実施していない場合）、情報が登録されず「―」が付与される。
【００４６】
口座番号項目チェックの項目には、確認日、確認結果、担当者ＩＤの項目を含む。氏名項目チェックの項目には、確認日、確認結果、担当者ＩＤの項目を含む。住所項目チェックの項目には、確認日、確認結果、担当者ＩＤの項目を含む。なお、口座番号項目チェック、氏名項目チェック、住所項目チェックは、確認対象の項目が、口座番号の項目、氏名の項目、住所の項目である点が異なるが、その他は金額項目チェックと同様であるため、説明を省略する。
【００４７】
重要度得点の項目には、伝票の重要度（緊急度）を識別する情報（重要度得点）が登録される。重要度得点は、サーバ３００が算出する値である。重要度得点の算出については、後で図１１を用いて説明する。
【００４８】
承認日の項目には、管理者が伝票の各項目の確認作業を承認した年月日が登録される。また、承認日の項目には、未承認の場合「―」が登録される。なお、承認日は、年月日のみではなく、時分の情報も登録可能である。
【００４９】
承認者ＩＤの項目には、伝票の確認作業を承認した管理者を識別する情報（承認者ＩＤ）が登録される。また、承認者ＩＤの項目には、未承認の場合「―」が登録される。
ここで、状態管理情報５００に登録されるエントリの一例について説明する。たとえば、状態管理情報５００には、伝票番号「００１」、受付日「２０１８／１１／１」、締切残日数「３」、金額「１０，０００」、金額項目チェックに含まれる確認日「２０１８／１１／１」、確認結果「ＯＫ」、担当者ＩＤ「Ａ０１」という情報が登録される。また、口座番号項目チェックに含まれる確認日「２０１８／１１／１」、確認結果「ＯＫ」、担当者ＩＤ「Ａ０２」、氏名項目チェックに含まれる確認日「２０１８／１１／２」、確認結果「ＯＫ」、担当者ＩＤ「Ａ０３」という情報が登録される。また、住所項目チェックに含まれる確認日「２０１８／１１／３」、確認結果「ＯＫ」、担当者ＩＤ「Ａ０４」、重要度得点「０」、承認日「２０１８／１１／３」、承認者ＩＤ「Ｓ０１」という情報が登録される。
【００５０】
これは、伝票番号「００１」で特定される伝票について、伝票を受け付けた受付日が「２０１８年１１月１日」であり、締切残日数が「３」日、金額が「１０，０００」円であることを示す。また、伝票に含まれる金額の項目を確認した日時が「２０１８年１１月１日」、確認結果が「ＯＫ」（画像データと文字データが一致）、担当者ＩＤが「Ａ０１」であることを示す。また、伝票に含まれる口座番号の項目を確認した日時が「２０１８年１１月１日」、確認結果が「ＯＫ」、担当者ＩＤが「Ａ０２」であることを示す。また、伝票に含まれる氏名の項目を確認した日時が「２０１８年１１月２日」、確認結果が「ＯＫ」、担当者ＩＤが「Ａ０３」であることを示す。また、伝票に含まれる住所の項目を確認した日時が「２０１８年１１月３日」、確認結果が「ＯＫ」、担当者ＩＤが「Ａ０４」であり、伝票番号「００１」について重要度得点が「０」点であり、承認日が「２０１８年１１月３日」、承認者ＩＤが「Ｓ０１」であることを示す。
【００５１】
次に、第２の実施形態の確認伝票一覧画面について図５を用いて説明する。図５は、第２の実施形態の確認伝票一覧画面の一例を示す図である。
確認伝票一覧画面６００は、管理者が端末４００を用いて伝票の処理の状況を確認するための管理画面である。確認伝票一覧画面６００は、サーバ３００が状態管理情報５００から抽出した情報を端末４００に対して提供する画面である。確認伝票一覧画面６００は、一覧表示領域６０１と、詳細表示ボタン６０２とを含む。
【００５２】
一覧表示領域６０１は、状態管理情報５００のエントリのうち重要度得点が付与されたエントリについて、重要度得点の点が高い順に伝票番号等を一覧表示した領域である。
一覧表示領域６０１は、選択、伝票番号、受付日、締切残日数、金額、チェックＮＧの項目を含む。選択の項目は、どの伝票番号のエントリについて詳細を表示するかを選択する選択ボタンである。チェックＮＧの項目は、伝票の確認結果に「ＮＧ」が付与された項目が含まれるか否かを示す情報が登録される。たとえば、結果確認に「ＮＧ」が含まれる場合に「有」、結果確認に「ＮＧ」が含まれない場合（全ての項目の結果確認が「ＯＫ」の場合）に「無」、が登録される。なお、伝票番号、受付日、締切残日数、金額、の各項目は、状態管理情報５００で説明した項目と同一であるため、説明を省略する。
【００５３】
一覧表示領域６０１は、所定の条件を満たす項目欄を強調表示する。たとえば、金額の項目について、金額が１００万円以上の金額の表示欄を強調表示する。また、締切残日数の項目について、締切残日数が３日以下の日数の表示欄を強調表示する。また、チェックＮＧの項目について、「有」の表示欄を強調表示する。強調表示とは、他の欄の地色（たとえば、白色無地）とは異なる態様（赤色、青色、ハッチング等）や、他の表示欄の文字とは異なる態様（文字色、文字フォント、文字サイズ）で表示することを意味する。
【００５４】
詳細表示ボタン６０２は、選択にチェックが入った伝票（黒丸印のチェックと対応づけられた伝票番号で特定される伝票）について、詳細な情報を表示する際に押下されるボタンである。端末４００は、詳細表示ボタン６０２の押下を検知し、選択された伝票番号と詳細表示の要求をサーバ３００に送信する。サーバ３００は、要求に応じて選択された伝票番号に対応する詳細な情報である確認伝票詳細画面を端末４００に提供する。確認伝票詳細画面は、後で図６を用いて説明する。
【００５５】
このように、確認伝票一覧画面６００は、処理対象となる伝票について、作業が遅延している伝票や、金額が所定の金額以上である伝票や、画像データと文字データとの確認結果が「ＮＧ」である伝票の情報を強調表示して提示できる。このため、管理者は、作業の遅延や、確認結果に問題が生じた伝票に注目しやすく、管理が容易となる。
【００５６】
次に、第２の実施形態の確認伝票詳細画面について図６を用いて説明する。図６は、第２の実施形態の確認伝票詳細画面の一例を示す図である。
確認伝票詳細画面６１０は、管理者が端末４００を用いて伝票の詳細な処理状態を確認する管理画面である。確認伝票詳細画面６１０は、確認伝票一覧画面６００において伝票が選択され、詳細表示ボタン６０２が押下された場合に端末４００に表示される画面である。確認伝票詳細画面６１０は、選択された伝票の詳細な情報をサーバ３００が端末４００に対して提供する画面である。確認伝票詳細画面６１０は、詳細表示領域６１１と、戻るボタン６１２とを含む。
【００５７】
詳細表示領域６１１は、確認伝票一覧画面６００において選択された伝票の詳細な情報が表示される領域である。詳細表示領域６１１は、選択された伝票の情報について状態管理情報５００から抽出され、表示される。詳細表示領域６１１においても、一覧表示領域６０１と同様に項目ごとの所定の条件を満たす項目欄が強調表示される。たとえば、詳細表示領域６１１において、取扱金額の欄と住所の確認結果の欄とが強調表示される。
【００５８】
なお、詳細表示領域６１１において、確認項目において、金額の項目と住所の項目とは担当者によるデータ確認が行われており、口座番号の項目と氏名の項目については未だデータ確認が行われていない状態である。未だデータ確認が行われていない項目（口座番号、氏名）については、サーバ３００によって異なる担当者にデータ確認の作業が割り当てられる。具体的には、既に他の項目をデータ確認した担当者ＩＤ「Ａ０２」「Ａ０４」の担当者とは異なる担当者であるとともに、口座番号の項目および氏名の項目がそれぞれ異なる担当者がデータ確認を行うように割り当てられる。また、確認結果が「ＮＧ」となった住所の項目については、サーバ３００によって担当者ＩＤ「Ａ０４」とおよび他の項目の担当者とは異なる担当者に対してデータ確認が割り当てられ、再度のデータチェックが行われる。
【００５９】
戻るボタン６１２は、確認伝票一覧画面６００の表示に戻る場合に押下されるボタンである。端末４００は、戻るボタン６１２の押下を検知し、確認伝票一覧画面６００を表示する要求をサーバ３００に送信する。サーバ３００は、要求に応じて確認伝票一覧画面６００を端末４００に提供する。
【００６０】
このように、確認伝票詳細画面６１０は、確認伝票一覧画面６００で選択された伝票について詳細を表示し、所定の条件を満たす項目欄を強調表示する。このため、管理者は、確認伝票詳細画面６１０を目視することで、伝票に含まれる注意すべき項目を確認できる。
【００６１】
次に、第２の実施形態の伝票登録処理のシーケンスについて図７を用いて説明する。図７は、第２の実施形態の伝票登録処理のシーケンスの一例を示す図である。
伝票登録処理は、端末４００がスキャナで読み取った伝票の画像データおよび文字認識した文字データをサーバ３００に送信し、サーバ３００が受信した伝票の画像データおよび文字データを記憶する処理である。
【００６２】
サーバ３００の処理は、制御部３１０（プロセッサ３１１）が実行し、端末４００の処理は、端末４００の制御部（プロセッサ）が実行する。なお、図７において、端末４００は、伝票を読み取る作業を行う担当者が操作するものとする。
【００６３】
［ステップＳ１１］端末４００は、担当者の操作を受け付け、端末４００に接続されたスキャナを介して伝票を読み取り、伝票の画像データを取得する。
［ステップＳ１２］端末４００は、取得した画像データから伝票に含まれる項目ごとに文字認識を行い、伝票に表記（印刷または記入）された文字データを取得する。たとえば、端末４００は、伝票に表記された伝票番号、受付日、金額、口座番号、氏名、住所を文字データとして取得する。なお、これらは、文字データとして取得する情報の一例に過ぎず、その他の情報も伝票の種類に応じて文字データとして取得できる。
【００６４】
［ステップＳ１３］端末４００は、画像データと文字データとを伝票情報としてサーバ３００に送信する。
［ステップＳ１４］サーバ３００は、端末４００から伝票情報を受信し、受信した伝票情報を記憶部（データベース３２０、ＨＤＤ３１３、ＲＡＭ３１２等）に記憶する。
【００６５】
［ステップＳ１５］サーバ３００は、受信した伝票情報に基づき、状態管理情報５００に新規のエントリを登録する。
［ステップＳ１６］サーバ３００は、状態管理情報５００にステップＳ１５で登録した新規エントリについて、重要度得点更新処理を実行する。重要度得点更新処理は、重要度得点を算出し、状態管理情報５００に登録する処理である。重要度得点更新処理は、後で図１１を用いて説明する。
【００６６】
次に、第２の実施形態の伝票確認処理のシーケンスについて図８を用いて説明する。図８は、第２の実施形態の伝票確認処理のシーケンスの一例を示す図である。
伝票確認処理は、端末４００において担当者が画像データと文字データの確認を行い、確認結果を端末４００からサーバ３００に送信し、サーバ３００が受信した確認結果を状態管理情報５００に登録する処理である。
【００６７】
サーバ３００の処理は、制御部３１０（プロセッサ３１１）が実行し、端末４００の処理は、端末４００の制御部（プロセッサ）が実行する。なお、図８において、端末４００は、伝票を確認する作業を行う担当者が操作するものとする。また、サーバ３００は、複数の端末４００，４１０，４２０，…からログインを受け付けることが可能であるが、図８においては端末４００について説明する。
【００６８】
［ステップＳ２１］端末４００は、担当者のログイン処理を行う。具体的には、端末４００は、担当者から担当者ＩＤとパスワードの入力を受け付け、受け付けた担当者ＩＤおよびパスワードをサーバ３００に送信する。
【００６９】
なお、端末４００は、ブラウザの機能により、サーバ３００が提供したログイン画面を表示し、担当者から担当者ＩＤおよびパスワードを受け付けるものとする。
［ステップＳ２２］サーバ３００は、担当者ＩＤとパスワードを端末４００から受信し、認証を行う。ここで、サーバ３００は、担当者ＩＤとパスワードの認証処理を問題なく完了したものとする。
【００７０】
［ステップＳ２３］サーバ３００は、状態管理情報５００を参照し、未確認の項目をランダムに抽出する。なお、サーバ３００は、状態管理情報５００を参照し、重要度得点が付与されたエントリが存在する場合、重要度得点が高得点の順に未確認の項目を抽出する。
【００７１】
［ステップＳ２４］サーバ３００は、ステップＳ２３において抽出した項目の項目情報（画像データ、文字データ）を、同一伝票に含まれる担当者ＩＤが異なるように割り当てを行う。また、サーバ３００は、担当者に割り当てた項目情報を端末４００に提示する。
【００７２】
たとえば、サーバ３００は、状態管理情報５００における金額項目チェック、口座番号項目チェック、氏名項目チェックおよび住所項目チェックに含まれる各担当者ＩＤが異なるように、担当者を割り当てる。言い換えると、サーバ３００は、状態管理情報５００とログイン中の担当者ＩＤをチェックし、同一の担当者ＩＤの担当者が同一の伝票番号に含まれる項目を担当しないよう、担当者ＩＤが異なる担当者に項目の割り当てを行う。
【００７３】
また、サーバ３００は、ステップＳ２３で抽出した項目の担当者ＩＤと割り当てる担当者の担当者ＩＤが同一である場合、項目の抽出をし直す。たとえば、サーバ３００は、ステップＳ２３で抽出した項目の次に重要度得点が高得点であった項目を割り当てる等、重要度得点が高得点の順に項目の抽出をし直すことができる。
【００７４】
このように、サーバ３００が、項目ごとに異なる担当者を割り当てることで、情報漏洩の低減を図ることができる。また、サーバ３００が、重要度得点が高得点の順に項目をデータチェックの担当者に割り当てることにより、優先順位の高い伝票の項目を優先して処理することが可能となる。
【００７５】
［ステップＳ２５］サーバ３００は、項目に割り当てられた担当者ＩＤを登録する。たとえば、サーバ３００は、伝票番号「００１」の金額の項目について割り当てられた担当者ＩＤが「Ａ０１」である場合、状態管理情報５００に含まれる伝票番号「００１」の金額項目チェックにおける担当者ＩＤに「Ａ０１」を登録する。
【００７６】
［ステップＳ２６］端末４００は、サーバ３００から提供された項目情報を表示する。具体的には、端末４００は、ブラウザの機能を利用し、担当者に割り当てられた項目について画像データと文字データとの比較確認を行う画面（データ確認画面）を端末４００に接続されたディスプレイに表示する。
【００７７】
［ステップＳ２７］端末４００は、担当者から確認結果の判断を受け付ける。具体的には、担当者が、画像データと文字データが一致するか否かを判定し、判定結果「ＯＫ（一致）」または「ＮＧ（不一致）」を入力する。端末４００は、キーボードやマウス等の入力デバイスを介して、担当者の入力を受け付ける。
【００７８】
ここで、端末４００が受け付ける担当者の入力の一例について説明する。第１の例として、端末４００が、氏名の項目の画像データと文字データの比較確認画面において、画像データに「鈴木一」および文字データに「鈴本二」が表示された場合について説明する。担当者は、ディスプレイに表示された比較確認画面を目視し、画像データと文字データとが不一致であると判定し「ＮＧ（不一致）」の確認結果を端末４００に入力する。
【００７９】
第２の例として、端末４００が、氏名の項目の画像データと文字データの比較確認画面において、画像データに「鈴木一」および文字データに「鈴木一」が表示された場合について説明する。担当者は、ディスプレイに表示された比較確認画面を目視し、画像データと文字データとが一致であると判定し「ＯＫ（一致）」の確認結果を端末４００に入力する。
【００８０】
このように、担当者は、伝票に手書きで記入された文字をスキャナで読み取った画像データと、画像データに対して文字認識を行って取得した文字データとが一致するか否かの確認結果を端末４００に入力する。
【００８１】
［ステップＳ２８］端末４００は、入力された確認結果が「ＯＫ（一致）」であるか否かを判定する。端末４００は、確認結果が「ＯＫ（一致）」である場合、「ＯＫ（一致）」の確認結果をサーバ３００に送信し、そうでない場合、「ＮＧ（不一致）」の確認結果をサーバ３００に送信する。
【００８２】
［ステップＳ２９］サーバ３００は、確認結果を端末４００から受信する。
［ステップＳ３０］サーバ３００は、ステップＳ２９で受信した確認結果に基づき、状態管理情報５００に含まれる割り当てた項目に対応する確認日および確認結果を更新する。たとえば、サーバ３００は、確認結果を受信した年月日を確認日に登録し、受信した確認結果の内容（「ＯＫ」または「ＮＧ」）を確認結果に登録する。
【００８３】
［ステップＳ３１］サーバ３００は、状態管理情報５００に含まれるステップＳ３０で更新したエントリに対して重要度得点更新処理を実行する。重要度得点更新処理は、後で図１１を用いて説明する。
【００８４】
次に、第２の実施形態の確認画面表示処理のシーケンスについて図９を用いて説明する。図９は、第２の実施形態の確認画面表示処理のシーケンスの一例を示す図である。
確認画面表示処理は、端末４００において管理者がサーバ３００にログインし、伝票確認の作業の状況を確認するための画面を表示する処理である。
【００８５】
サーバ３００の処理は、制御部３１０（プロセッサ３１１）が実行し、端末４００の処理は、端末４００の制御部（プロセッサ）が実行する。なお、図９において、端末４００は、作業の確認を行う管理者が操作するものとする。また、サーバ３００は、複数の端末４００，４１０，４２０，…からログインを受け付けることが可能であるが、図９においては端末４００について説明する。
【００８６】
［ステップＳ４１］端末４００は、管理者のログイン処理を行う。具体的には、端末４００は、管理者から承認者ＩＤとパスワードの入力を受け付け、受け付けた承認者ＩＤおよびパスワードをサーバ３００に送信する。また、端末４００は、管理者向け画面を表示する旨の要求も合わせてサーバ３００に送信する。
【００８７】
なお、端末４００は、ブラウザの機能により、サーバ３００が提示するログイン画面を表示し、管理者から承認者ＩＤおよびパスワードを受け付けるものとする。
［ステップＳ４２］サーバ３００は、承認者ＩＤとパスワードを端末４００から受信し、認証を行う。ここで、サーバ３００は、承認者ＩＤとパスワードの認証処理を問題なく完了したものとする。
【００８８】
［ステップＳ４３］サーバ３００は、状態管理情報５００を参照し、未承認のエントリ（未承認の伝票）を抽出する。
［ステップＳ４４］サーバ３００は、ステップＳ４３で抽出したエントリを重要度得点順にソートし、確認伝票一覧画面６００を端末４００に提示する。また、サーバ３００は、所定の条件の項目（たとえば、金額が１００万円以上、締切残日数が３日以下、結果確認「ＮＧ」）を強調表示して提示する。
【００８９】
［ステップＳ４５］端末４００は、ブラウザの機能を利用し、サーバ３００から提示された確認伝票一覧画面６００をディスプレイに表示する。
［ステップＳ４６］端末４００は、キーボードやマウス等の入力デバイスを介して伝票番号の選択を受け付け、サーバ３００に送信する。
【００９０】
［ステップＳ４７］サーバ３００は、選択された伝票番号を端末４００から受信する。
［ステップＳ４８］サーバ３００は、状態管理情報５００から選択された伝票番号のエントリを抽出し、選択された伝票番号の確認伝票詳細画面６１０を端末４００に提示する。
【００９１】
［ステップＳ４９］端末４００は、ブラウザの機能を利用し、サーバ３００から提示された確認伝票詳細画面６１０をディスプレイに表示する。
次に、第２の実施形態のサーバ３００が実行する日付更新処理について図１０を用いて説明する。図１０は、第２の実施形態の日付更新処理のフローチャートの一例を示す図である。
【００９２】
日付更新処理は、サーバ３００が、１日１回（２４時間ごとに）状態管理情報５００に含まれる全てのエントリについて締切残日数を更新し、重要度得点更新処理を実行する処理である。日付更新処理は、サーバ３００の制御部３１０（プロセッサ３１１）が実行する処理である。
【００９３】
［ステップＳ５１］サーバ３００は、システムコマンド等を利用して現在日付を取得し、状態管理情報５００に含まれる受付日と取得した現在日付から締切残日数を算出する。なお、サーバ３００は、予め定められた伝票の締切日（たとえば、受付日から７営業日等）を記憶部に記憶しており、締切残日数を算出できる。
【００９４】
［ステップＳ５２］サーバ３００は、状態管理情報５００に登録された締切残日数にステップＳ５１で算出した締切残日数を上書き登録することにより、締切残日数を更新する。
【００９５】
［ステップＳ５３］サーバ３００は、状態管理情報５００に対して重要度得点更新処理を実行する。重要度得点更新処理は、後で図１１を用いて説明する。
次に、第２の実施形態のサーバ３００が実行する重要度得点更新処理について図１１を用いて説明する。図１１は、第２の実施形態の重要度得点更新処理のフローチャートの一例を示す図である。
【００９６】
重要度得点更新処理は、重要度得点を算出し、状態管理情報５００に登録する処理である。重要度得点更新処理は、伝票登録処理のステップＳ１６、伝票確認処理のステップＳ３１または日付更新処理のステップＳ５３でサーバ３００の制御部３１０（プロセッサ３１１）が実行する処理である。
【００９７】
なお、伝票登録処理のステップＳ１６において、重要度得点更新処理を実行する対象は、状態管理情報５００にステップＳ１５で登録した新規エントリである。また、伝票確認処理のステップＳ３１において、重要度得点更新処理を実行する対象は、状態管理情報５００にステップＳ３０で更新したエントリである。また、日付更新処理のステップＳ５３において、重要度得点更新処理を実行する対象は、状態管理情報５００に含まれる全てのエントリである。
【００９８】
以下、重要度得点更新処理を実行する対象となるエントリを、実行対象エントリと記載する。また、実行対象エントリのうち、重要度得点を算出するエントリを算出対象エントリと記載する。サーバ３００は、実行対象エントリが複数存在する場合、実行対象エントリから重要度得点を算出するエントリを１つずつ特定して算出対象エントリとし、算出対象エントリに対して以下のステップを実行する。
【００９９】
［ステップＳ６１］サーバ３００は、重要度得点を初期化（ゼロクリア）する。言い換えると、サーバ３００は、算出対象エントリに含まれる重要度得点の値を「０」に設定する。
【０１００】
［ステップＳ６２］サーバ３００は、算出対象エントリに含まれる締切残日数を判定する。サーバ３００は、算出対象エントリの締切残日数が３日以下の場合、ステップＳ６３にすすむ。サーバ３００は、算出対象エントリの締切残日数が４日以上の場合、ステップＳ６４にすすむ。
【０１０１】
［ステップＳ６３］サーバ３００は、算出対象エントリの締切残日数が３日の場合、算出対象エントリに含まれる重要度得点に３０を加算する。また、サーバ３００は、算出対象エントリの締切残日数が２日の場合、算出対象エントリに含まれる重要度得点に５０を加算する。また、サーバ３００は、算出対象エントリの締切残日数が１日の場合、算出対象エントリに含まれる重要度得点に１００を加算する。
【０１０２】
［ステップＳ６４］サーバ３００は、算出対象エントリに確認結果が「ＮＧ（不一致）」が含まれるか否かを判定する。サーバ３００は、算出対象エントリの確認結果に「ＮＧ」が含まれる（「ＮＧ」有）の場合、ステップＳ６５にすすむ。サーバ３００は、算出対象エントリの確認結果に「ＮＧ」が含まれない場合、ステップＳ６６にすすむ。
【０１０３】
［ステップＳ６５］サーバ３００は、算出対象エントリに含まれる重要度得点に１００を加算する。
［ステップＳ６６］サーバ３００は、算出対象エントリに含まれる金額を判定する。サーバ３００は、算出対象エントリの金額が１００万円以上である場合、ステップＳ６７にすすむ。サーバ３００は、算出対象エントリの金額が１００万円未満である場合、処理を終了する。
【０１０４】
［ステップＳ６７］サーバ３００は、算出対象エントリに含まれる重要度得点に５０を加算する。サーバ３００は、実行対象エントリに含まれる算出対象エントリについてそれぞれ重要度得点を算出し、全ての実行対象エントリについて重要度得点を算出した後、重要度得点更新処理を終了する。なお、重要度得点更新処理において、ステップＳ６２，Ｓ６４，Ｓ６６の各ステップの判定条件は一例であり、他の数値条件（たとえば、日数や金額の値、加算する重要度得点の点数等）を設定してもよい。
【０１０５】
こうして、サーバ３００は、伝票に含まれる項目ごとに予め定められた条件を満たすか否かを判定し、条件を満たす場合、伝票ごとに（算出対象エントリごとに）条件に応じた値を加算することで、重要度得点を算出する。
【０１０６】
このように、サーバ３００が、伝票の作業状況を状態管理情報５００で管理するとともに、各伝票に対して算出した重要度得点に基づいて確認伝票一覧画面６００を提示することにより、管理者は、複数の担当者に分担した作業の進捗を把握することが容易となる。
【０１０７】
こうして、サーバ３００は、重要度得点を算出することで、伝票ごとの重要度に基づいて確認伝票一覧画面６００を提供できる。管理者は、管理する伝票の数が多く、かつ、伝票の項目ごとにデータチェックの担当者が異なるため、作業の進捗管理が困難であったが、確認伝票一覧画面６００や確認伝票詳細画面６１０を参照することで、進捗管理に費やす時間と労力を軽減できる。また、サーバ３００は、伝票に含まれる項目についてデータチェックの作業を担当者に割り当てる際に、伝票の重要度得点の高い順に割り当てることにより、重要性が高い伝票を優先してチェックの作業を行うことが可能となる。
【０１０８】
このように、情報処理システム２００およびサーバ３００は、伝票の確認に関する情報を提示することができる。
なお、上記の処理機能は、コンピュータによって実現することができる。その場合、第１の端末２０、第２の端末３０、情報処理装置４０、端末４００，４１０，４２０，…およびサーバ３００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ（Compact Disc Read Only Memory）／ＲＷ（ReWritable）等がある。光磁気記録媒体には、ＭＯ等がある。
【０１０９】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１１０】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１１１】
また、上記の処理機能の少なくとも一部を、ＤＳＰ、ＡＳＩＣ、ＰＬＤ等の電子回路で実現することもできる。
【符号の説明】
【０１１２】
１０  情報処理システム
２０  第１の端末（担当者端末）
３０  第２の端末（管理者端末）
４０  情報処理装置
４１  制御部
４２  記憶部
【図１】
2020119163.tif 000003
【図２】
2020119163.tif 000004
【図３】
2020119163.tif 000005
【図４】
2020119163.tif 000006
【図５】
2020119163.tif 000007
【図６】
2020119163.tif 000008
【図７】
2020119163.tif 000009
【図８】
2020119163.tif 000010
【図９】
2020119163.tif 000011
【図１０】
2020119163.tif 000012
【図１１】
2020119163.tif 000013